(57)【要約】【課題】トイレなどの掃除が簡単になり、トイレなどを常に清潔な状態で使用することができるタイプの使い捨てマットを提供する。【解決手段】（１）吸水性を有する環境検査紙、（２）上記（１）以外の吸水性シート、（３）防水性フィルムが順次一体化された一層のマットが、（４）接着手段を介して、二層以上積層されてなる、使い捨てマット。【選択図】図１
0003129140.tif 000002
【実用新案登録請求の範囲】
【請求項１】
（１）吸水性を有する環境検査紙、（２）上記（１）以外の吸水性シート、（３）防水性フィルムが順次一体化された一層のマットが、（４）接着手段を介して、二層以上積層されてなる、使い捨てマット。
【請求項２】
（１）吸水性を有する環境検査紙がリトマス紙である請求項１記載の使い捨てマット。
【請求項３】
（１）検査紙がエンボス加工されてなる請求項１または２記載の使い捨てマット。
【請求項４】
（２）吸水性シートが、パルプ製シート、合成繊維不織布、またはパルプ混入合成繊維不織布からなる請求項１〜３いずれかに記載の使い捨てマット。
【請求項５】
（３）防水性フィルムが、ポリオレフィン系フィルムからなる請求項１〜４いずれかに記載の使い捨てマット。
【請求項６】
（４）接着手段が両面接着テープである請求項１〜５いずれかに記載の使い捨てマット。
【考案の詳細な説明】
【技術分野】
【０００１】
本考案は、使い捨てマットに関する。さらに詳しくは、例えばトイレ掃除が簡単になりトイレを常に清潔な状態で使用することができるタイプの使い捨てマットに関する。
【背景技術】
【０００２】
トイレの床の清掃は、汚水、悪臭を伴う作業であり、不快な作業である。特に、子供やお年寄りのいる家庭はトイレがすぐ汚れるので、掃除を頻繁に行う必要があり一層大変である。
そこで、従来より、掃除の簡便化や衛生・美化を図るために床にマットを敷き、床を清潔に保つことが行われている。マットは、吸水性、保水性および耐久性などの観点から通常は布製のものが採用されている。
しかし、布製のマットは、床を清潔に保つことができるが、定期的にマット自体を洗濯しなければならず、その作業が煩わしいという欠点を有する。
また、多数の使用者が頻繁にトイレを使用したり、子供や年寄りが使用するばあいには、すぐにマットが汚れるが、取替え用の布製マットを用意しておかないと、洗濯が終わり、乾くまではマットなしでトイレを使用しなくてはならないし、また予備を用意する費用も高くつく。
【０００３】
そこで、本考案者は、特許文献１（特開２００５−１７７４１０号公報）において、トイレ床取替えシートを提案した。しかしながら、このシートは、具体的な素材が明示されておらず、残念ながら、実用上、実施不可能な面があった。
【特許文献１】特開２００５−１７７４１０号公報
【考案の開示】
【考案が解決しようとする課題】
【０００４】
本考案は、かかる問題を解消するためになされたものであり、例えばトイレ掃除が簡単になりトイレを常に清潔な状態で使用することができるタイプの使い捨てマットを提供することを目的とする。
【課題を解決するための手段】
【０００５】
本考案は、（１）吸水性を有する環境検査紙、（２）上記（１）以外の吸水性シート、（３）防水性フィルムが順次一体化された一層のマットが、（４）接着手段を介して、二層以上積層されてなる、使い捨てマットに関する。
ここで、（１）吸水性を有する環境検査紙は、リトマス紙が好ましい。
また、（１）吸水性を有する環境検査紙は、エンボス加工されていることが好ましい。
さらに、（２）吸水性シートは、パルプ製シート、合成繊維不織布、パルプ混入合成繊維不織布からなるものが好ましい。
さらに、（３）防水性フィルムは、ポリオレフィン系フィルムからなるものが好ましい。
さらに、（４）接着手段は、好ましくは両面接着テープである。
【考案の効果】
【０００６】
本考案の使い捨てマットは、表層に、リトマス紙などの（１）環境検査紙が用いられているので、尿がマット表面にこぼれると、表面が変色して尿汚れを感知することができる。
また、（２）吸水性シートは、尿を吸収して保持することできる。
さらに、（３）防水性フィルムは、尿の他層（２層目以下のマット）への以降を防止することができる。
さらに、（４）両面接着テープなどの接着手段は、例えば第１層目のマットを剥がすと、（３）防水性フィルム上に（４）両面接着テープなどの接着手段が残存し、（１）リトマス紙などの環境検査紙に残ることがない。
以上のように、本考案の使い捨てマットは、飛散した尿を検知できるとともに、吸水性、保水性が高く、飛散された尿を汚水などを効果的に吸収することができ、トイレの床の汚れを防止することができる。
【考案を実施するための最良の形態】
【０００７】
以下、図面を用いて、本考案の使い捨てマットについて説明する。
図１から明らかなように、本考案の使い捨てマットは、（１）吸水性を有する環境検査紙、（２）上記（１）以外の吸水性シート、（３）防水性フィルムが順次一体化された一層のマットが、（４）接着手段を介して、二層以上積層されている。
図１では、一層のマットが（４）接着手段を介して、二層積層されているが、三層以上、例えば十層以下程度、積層されたものであってもよい。
なお、図１では、マットの最下面に、（５）両面接着テープを設けて、トイレの床面に固定させるようになっている。
【０００８】
ここで、（１）吸水性を有する環境検査紙としては、尿が飛散した場合に変色するものであればいかなるものでもよく、例えば、白色のパルプシート、リトマス紙、塩分検査紙などが挙げられるが、好ましくはリトマス紙である。リトマス紙は、酸性に反応する青色のリトマス紙を用いても、アルカリ性に反応する赤色のリトマス紙を用いてもよいが、尿のｐＨからすれば、通常は、青色のリトマス紙が用いられるが、これに限定されるものではない。
【０００９】
上記リトマス紙の具体例としては、吸水性を有した紙材からなるシートの一面に変色域が印刷されたものが挙げられる。すなわち、上記変色域は、発色液と反応することにより実質的に不可視の無色から可視の有色に変色する変色剤を含むインクを用いて印刷されている。
【００１０】
上記変色剤としては、無色のｐＨ領域を持つｐＨ指示薬を使用できる。このようなｐＨ指示薬として、ｒ−ジニトロフェノール、ｍ−ニトロフェノール、ｏ−ニトロフェノール、ｐ−ニトロフェノール、シアニン、α−ナフトールタレイン、フェノールフタレイン、クレゾールフレイン、チモールフタレイン、エチルメトシレッド、ヘプタメトキシレットなどがあり、表出される色彩に応じて使い分けうる。また、一種類の他複数種類を混合して用いてもよい。
【００１１】
このような変色剤を用いてインクを調合するには、例えばアルコールなどの変色剤用の溶媒を用いてかつ多価アルコール、界面活性剤、各種の樹脂類などを添加する。
また、印刷後に水またはアルコールなどを含む発色液を用いて発色させる場合には、インクとして水性インクビヒクルを利用することが好ましい。水性インクビヒクルを作成するための添加剤としては、ジメチルスルホアマイド、ジメチルスルホオキサイド、アルコール類、多価アルコール類、また増粘剤としてロジン、シエラック、グアガム、メチルセルロース、エチルセルロース類を用いることができる。
【００１２】
また、変色剤を微粒子状に粉砕したのち各種のインクビヒクルに混練することによりインクを調整することも、溶剤に溶かした変色剤を無機、有機の適宜の粉末に吸着させたのち、各種インクビヒクルに混練することもでき、いずれの方法によってもインクを調製できる。
【００１３】
なお、印刷に際して、複数種類のインクを用いて重刷りすることもできる。また、変色剤が例えばニトロフェノール類のように、発色するｐＨ領域が中性に近いものについては、インクビヒクル内に、例えば酒石酸、クエン酸などの不揮発性のｐＨ調整剤を含有させ、該インクのｐＨを低く調整することが好ましい。このことにより、変色剤を安定化させ、印刷後の自然発色などを防止する。
【００１４】
そのほか、（１）環境検査紙としては、上記リトマス紙のほか、尿などの液体が付着すると変色して、変色を保持する変色紙として、塩化コバルトを水に解かし、紙に含浸させさらに乾燥させたもの（例えば、東洋濾紙株式会社製、品名ＡＤＶＡＮＴＥＣ）などが挙げられる。
【００１５】
以上の（１）環境検査紙は、紙の表面にリトマス液などの変色剤を塗布できる態様であれば、（２）吸水性シートの表面に、これらのリトマス液や変色剤を塗布あるいは印刷することにより、該（１）環境検査紙を省略することができる。この場合、（２）吸水性シートの表面にリトマス溶液や変色剤が塗布あるいは印刷されているため、この層が（１）環境検査紙を構成することになる。
【００１６】
以上の（１）環境検査紙は、足裏が滑らず、さらには飛散した尿の吸収がよいように、エンボス加工されているものが好ましい。また、この（１）環境検査紙は、（２）吸水性シートへの尿の吸収が早まるように、微細な孔が穿設されていてもよい。
【００１７】
（２）吸水性シートとしては、パルプシート、合成繊維不織布、パルプ入り合成繊維不織布などが挙げられる。なお、（２）吸水性シート中には、ポリアクリル酸塩やイソブチレン−無水マレイン酸共重合物などの架橋体などの吸水性樹脂が含有されていてもよい。
飛散した尿は、（１）環境検査紙から、この（２）吸水性シートに吸収され、保持される。
【００１８】
（３）防水性フィルムは、（２）吸水性シートで吸収・保持された尿が、２枚目以降のマットに移行するのを防ぐ作用をする。
この（２）吸水性シートとしては、ポリエチレン、ポリプロピレン、ナイロン６、ナイロン６，６などの合成樹脂製フィルムが用いられるが、汎用性、経済性の面から、ポリエチレンあるいはポリプロピレンなどのポリオレフィン系フィルムが好ましい。
【００１９】
以上の（１）環境検査紙、（２）吸水性シート、（３）防水性フィルムを貼り合わせるには、各層間を、エマルジョン系接着剤、ホットメルト系接着剤などのケミカルバインダーや、高周波加工、熱圧処理などの物理的接着手段を用いて、接着すればよい。
【００２０】
以上の（１）〜（３）層からなる１層分のマットは、（４）接着手段を介して、二層以上が順次積層されて、本発明の使い捨てマットとなる。
ここで、（４）接着手段としては、上記のようなケミカルバインダーや高周波加工、熱圧処理などの物理的接着手段でもよいが、少なくとも、（１）〜（３）層の接着強度よりも弱い接着方法を採用した方がよい。
これは、例えば第１層目のマットを第２層以降のマットから選択的に剥ぎ取る場合に必要となる。
この意味から、（４）接着手段としては、両面接着テープによる点接着、ケミカルバインダーによる点接着などが好ましいが、経済性の面からは、両面接着テープによる点接着が好ましい。
【００２１】
本考案の使い捨てマットを使用するに際しては、この二層以上からなるマットをそのまま、トイレの床に敷設してもよいが、図１に示すように、（５）両面接着テープなどの接着手段で床面に点接着して固定して用いることが好ましい。
最表面の（１）リトマス紙などの環境検査紙が尿により変色したら、（４）両面接着テープからなる接着手段の部位から第１層を剥がして、使用すればよい。
【産業上の利用可能性】
【００２２】
本考案の使い捨てマットは、男子トイレ、女子トイレなどのトイレマットのほか、洗面所の床マット、玄関マット、キッチンマットなどとしても有用である。
【図面の簡単な説明】
【００２３】
【図１】本考案の使い捨てマットの断面構成図である・
【符号の説明】
【００２４】
（１）環境検査紙
（２）吸水性シート
（３）防水性フィルム
（４）接着手段
【図１】
0003129140.tif 000003